(57)【要約】【課題】本発明は、保護カバー付パラレル・シリアル変換コネクタに関し、例えば、半導体を静電気破壊から防止し、コネクタ嵌合部分の強度を補強して、半田クズ等の落下を防止して安全性を高めることが課題である。【解決手段】プリント配線基板２の両実装面のうち一方の実装面２ａにパラレルＡＴＡコネクタ３を設け、他方の実装面２ｂにシリアルＡＴＡコネクタ４を設け、当該プリント配線基板の片方の実装面に変換チップを前記プリント基板の回路中に搭載し、前記両実装面において前記コネクタ部を除いて実装部品と前記回路とを被覆する保護カバー５，６が設けられて成る保護カバー付パラレル・シリアル変換コネクタ１とするものである。【選択図】図１
2009009471.tif 000002
【特許請求の範囲】
【請求項１】
プリント配線基板の両実装面のうち一方の実装面にパラレルＡＴＡコネクタを設け、他方の実装面にシリアルＡＴＡコネクタを設け、当該プリント配線基板の片方の実装面に変換チップを前記プリント基板の回路中に搭載し、前記両実装面において前記コネクタ部を除いて実装部品と前記回路とを被覆する保護カバーが設けられて成ること、
を特徴とする保護カバー付パラレル・シリアル変換コネクタ。
【請求項２】
保護カバーの高さ寸法は、両実装面における各ＡＴＡコネクタの高さ寸法と同じかそれ以下の高さ寸法であること、
を特徴とする請求項１に記載の保護カバー付パラレル・シリアル変換コネクタ。
【請求項３】
保護カバーの高さ寸法は、隣接する周辺機器の外壁面に当接する寸法に設定されていること、
を特徴とする請求項１または２に記載の保護カバー付パラレル・シリアル変換コネクタ。
【請求項４】
保護カバーは、透明若しくは半透明の合成樹脂製であること、
を特徴とする請求項１乃至３のいすれかに記載の保護カバー付パラレル・シリアル変換コネクタ。
【発明の詳細な説明】
【技術分野】
【０００１】
本発明は、例えば、コンピュータやパーソナルコンピュータ等とこれらの周辺機器である記憶装置等とをインターフェイスを介して接続するパラレル・シリアル変換コネクタに関するものである。
【背景技術】
【０００２】
従来、上記のようなコンピュータ・ホストに各種周辺装置、例えばストレージ・デバイス（記憶装置）を接続するインターフェイスには、クライアント向けのＡＴＡ（Advanced  Technology  Attachment  ）、サーバーや大型記憶装置向けのＳＣＳＩ（Small  Computer  System  Interface  ）が知られている。そして、これらを接続する接続ケーブルとして、いずれもパラレル転送方式のフラットケーブルが主に使用されている（特許文献１参照）。
【特許文献１】特開平９−２８３２４４号公報
【発明の開示】
【発明が解決しようとする課題】
【０００３】
しかし、従来のパラレルＡＴＡ／ＳＣＳＩのインターフェイスは、その転送速度の限界や接続台数の制限があり、近年の急激な入出力速度の高速化、容量の大幅な上昇に対応することができなくなっている。そこで、従来のパラレル転送方式から、１本の信号線にビット・データを連続して転送するシリアル転送方式（シリアルＡＴＡ、ＳＡＳ（Serial  Attached  SCSI））に移行しているのが現状である。これにより、データ転送速度が向上し、デバイスの接続台数が増大すると共に、パラレル転送方式における障害であったクロストークやスキューを解消することもできる。
【０００４】
ところが、周辺装置である記憶装置，ＣＤ−ＲＯＭ，ＣＤ±Ｒ／±ＲＷ，ＤＶＤ−ＲＯＭ，ＤＶＤ±Ｒ／±ＲＷ等ではシリアルＡＴＡインターフェイスが採用されてきたが、コンピュータ側では製品寿命の相違から従前のパラレルＡＴＡインターフェイスのままであることが多く、このパラレルＡＴＡと、シリアルＡＴＡ若しくはＳＡＳとではコネクタ構造が異なって互換性がないので、変換用のインターフェイス及び接続用の変換ケーブルが必要となる。ホスト側のマザーボードがシリアルＡＴＡインターフェイスを搭載し、その周辺装置がパラレルＡＴＡインターフェイスの場合も同様である。
【０００５】
そこで、パラレル・シリアル変換コネクタが提案されるが、プリント基板に変換用コネクタと変換チップ等の電子部品を回路上に実装した変換用コネクタにおいては、例えば、プリント基板に搭載された半導体を取り付けたハンドリングの際に、静電気破壊により前記半導体が故障するおそれがある、また、ハードディスク等の周辺機器にこの変換用コネクタを取り付けて実装した際に、構造的に小さいシリアルＡＴＡコネクタの嵌合部分で支えられるので、電気的接続が不安定になり、電気的接続の信頼性が損なわれるおそれがあるとともに、集中負荷が加わり当該シリアルＡＴＡコネクタとプリント基板接続部の半田クラック等の発生原因となる。
【０００６】
更には、プリント基板の電子回路が剥き出しであった場合に、動作時も振動・衝撃により金属片の落下などによりマザーボードへのショート等のおそれがある。本発明に係る保護カバー付パラレル・シリアル変換コネクタは、このような課題を解決するために提案されたもものである。
【課題を解決するための手段】
【０００７】
本発明に係る保護カバー付パラレル・シリアル変換コネクタの上記課題を解決して目的を達成するための要旨は、プリント配線基板の両実装面のうち一方の実装面にパラレルＡＴＡコネクタを設け、他方の実装面にシリアルＡＴＡコネクタを設け、当該プリント配線基板の片方の実装面に変換チップを前記プリント配線基板の回路中に搭載し、前記両実装面において前記コネクタ部を除いて実装部品と前記回路とを被覆する保護カバーが設けられて成ることである。
【０００８】
前記保護カバーの高さ寸法は、両実装面における各ＡＴＡコネクタの高さ寸法と同じかそれ以下の高さ寸法であること、；
保護カバーの高さ寸法は、隣接する周辺機器の外壁面に当接する寸法に設定されていること、；
前記保護カバーは、透明若しくは半透明の合成樹脂製であること、；
を含むものである。
【発明の効果】
【０００９】
本発明の保護カバー付パラレル・シリアル変換コネクタによれば、この変換コネクタのプリント基板における電子回路部分が保護カバーにて覆われるので、ハンドリングの際に、静電気による部品破壊が免れる。また、ハードディスク等の周辺機器のシリアルＡＴＡインターフェイスコネクタと嵌合した際に、その周辺機器の側面フレームと前記変換コネクタにおける保護カバーとが当接し、安定した状態での接続となるとともに、ＡＴＡコネクタに掛かる曲げモーメント等の負荷が保護カバーにも分散されて、安定した取付構造となる。
更に、プリント基板の両実装面に保護カバーを設けているので、変換回路からの半田クズ等の落下を防止する。
【発明を実施するための最良の形態】
【００１０】
本発明に係る保護カバー付パラレル・シリアル変換コネクタ１は、図１乃至２に示すように、プリント配線基板２の両実装面２ａ，２ｂのうち、一方の実装面２ａにパラレルＡＴＡコネクタ３を設け、他方の実装面２ｂにシリアルＡＴＡコネクタ４を設けている。符号３ａは、電源コネクタを示している。
【００１１】
前記プリント配線基板２の片方の実装面に変換チップ（図示せず）を前記プリント配線基板の回路中に搭載し、前記両実装面２ａ，２ｂにおいて前記コネクタ部を除いて実装部品と前記回路とを被覆する、難燃材の上・下保護カバー５，６が設けられて成る。
【００１２】
前記上・下保護カバー５，６は、その厚さが例えば、約１ｍｍ程度であり、その高さ寸法は、両実装面２ａ，２ｂにおける各ＡＴＡコネクタ３，４の高さ寸法と同じかそれ以下の高さ寸法である。更に、その制限内で、前記上・下保護カバー５，６の高さ寸法は、隣接する周辺機器の外壁面に当接する寸法に設定されている。それにより、プリント配線基板２上の、上・下保護カバー５，６が周辺機器の外壁面に当たって当該プリント配線基板２を支持するようになるので、パラレル・シリアル変換コネクタ１が安定して支持されるようになる。
【００１３】
また、前記上保護カバー５には、図３に示すように、取付孔５ｂがあり、ネジ７のネジ頭が外部に突出しないように、座ぐり部がある。また、貫通孔５ａは、内部のＬＥＤ等の点滅を確認する窓であり、透明な合成樹脂製のシール８が貼着して閉蓋される。
【００１４】
前記下保護カバー６は、図４に示すように、所望の形状に成型され、取付用にボス部６ａが設けられている。前記ネジ７のネジ部により、ボス部６ａの孔部にセルフタタップでネジ部を切られて、螺着されるものである。前記プリント配線基板２には、前記ネジ７挿通用の貫通孔２ｃが設けられている。なお、この上・下保護カバー５，６のプリント配線基板２に対する取付方法は、ねじ止めに限らず、保護カバー５，６同士に係合弾性爪と係合部を設けて嵌合するようにしても良く、種々の公知取付手段が採用できるものである。
【００１５】
また、他の実施例として、前記保護カバー５，６は、透明若しくは半透明の合成樹脂製で成型することができる。これによれば、前述の確認窓である貫通孔５ａを特に設ける必要も無くなる。
【００１６】
このようにして形成される保護カバー付パラレル・シリアル変換コネクタ１を使用すると、図６に示すように、例えば、ハードディスク等の周辺機器９に嵌合させた場合に、前記上保護カバー５により、プリント配線基板２上の半導体や回路が剥き出しに成らず、ショートのおそれが無く、更に、周辺機器９の側部に前記上下の保護カバー５，６が当接して安定した支持状態となって、パラレル・シリアルの両コネクタ部分の接続負荷が軽減される。
【図面の簡単な説明】
【００１７】
【図１】本発明に係る保護カバー付パラレル・シリアル変換コネクタ１の斜視図（Ａ），（Ｂ）である。
【図２】同本発明の保護カバー付パラレル・シリアル変換コネクタ１の分解全体斜視図である。
【図３】同保護カバー付パラレル・シリアル変換コネクタ１における上保護カバー５の平面図（Ａ），側面図（Ｂ），底面図（Ｃ），斜視図（Ｄ），（Ｅ）である。
【図４】同保護カバー付パラレル・シリアル変換コネクタ１における下保護カバー６の平面図（Ａ）と側面図（Ｂ）とである。
【図５】同保護カバー付パラレル・シリアル変換コネクタ１における、保護カバーのない状態の平面図（Ａ），側面図（Ｂ），底面図（Ｃ），保護カバーが付いた状態の正面図（Ｄ）である。
【図６】同保護カバー付パラレル・シリアル変換コネクタ１の使用状態の平面図（Ａ）と側面図（Ｂ）とである。
【符号の説明】
【００１８】
１          保護カバー付パラレル・シリアル変換コネクタ、
２          プリント配線基板、
３          パラレルＡＴＡコネクタ、              ３ａ      電源コネクタ、
４          シリアルＡＴＡコネクタ、
５          上保護カバー、                        ５ａ      貫通孔、
５ｂ        下保護カバー、                  
６          下保護カバー、                        ６ａ      ボス部、  
７          ネジ、
８          透明なシール、
９          周辺機器。
【図１】
2009009471.tif 000003
【図２】
2009009471.tif 000004
【図３】
2009009471.tif 000005
【図４】
2009009471.tif 000006
【図５】
2009009471.tif 000007
【図６】
2009009471.tif 000008